【手続補正書】
【提出日】平成29年8月16日(2017.8.16)
【手続補正１】
【補正対象書類名】特許請求の範囲
【補正対象項目名】全文
【補正方法】変更
【補正の内容】
【特許請求の範囲】
【請求項１】
入力データをセルワードに符号化するように構成されるエンコーダ回路と、
前記セルワードを不均一コンステレーションのコンステレーション値に変調するように構成される変調部回路と
を具備する符号化変調装置であって、
前記変調部回路は、以下の表１又は表２に示す、コンステレーションの信号点の総数Ｍ＝１６および符号レート３／５である不均一コンステレーションを使用するように構成される
符号化変調装置。
【表１】
2016526838.tif 000001
【表２】
2016526838.tif 000002
【請求項２】
入力データをセルワードに符号化するように構成されるエンコーダ回路と、
前記セルワードを不均一コンステレーションのコンステレーション値に変調するように構成される変調部回路と
を具備する符号化変調装置であって、
前記変調部回路は、以下の表３に示す、コンステレーションの信号点の総数Ｍ＝１６および符号レート２０／３０である不均一コンステレーションを使用するように構成され、
前記信号点は、コンステレーション位置ベクトルｗ０…Ｍ−１で定義される
符号化変調装置。
【表３】
2016526838.tif 000003
【請求項３】
入力データをセルワードに符号化するように構成されるエンコーダ回路と、
前記セルワードを不均一コンステレーションのコンステレーション値に変調するように構成される変調部回路と
を具備する符号化変調装置であって、
前記変調部回路は、以下の表４に示す、コンステレーションの信号点の総数Ｍ＝２５６および符号レート２０／３０である不均一コンステレーションを使用するように構成され、
前記信号点は、コンステレーション位置ベクトルｗ０…Ｍ−１で定義される
符号化変調装置。
【表４】
2016526838.tif 000004
2016526838.tif 000005
2016526838.tif 000006
2016526838.tif 000007
2016526838.tif 000008
2016526838.tif 000009
【請求項４】
入力データをセルワードに符号化するように構成されるエンコーダ回路と、
前記セルワードを不均一コンステレーションのコンステレーション値に変調するように構成される変調部回路と
を具備する符号化変調装置であって、
前記変調部回路は、以下の表５に示す、コンステレーションの信号点の総数Ｍ＝２５６および符号レート２２／３０である不均一コンステレーションを使用するように構成され、
前記信号点は、コンステレーション位置ベクトルｗ０…Ｍ−１で定義される
符号化変調装置。
【表５】
2016526838.tif 000010
2016526838.tif 000011
2016526838.tif 000012
2016526838.tif 000013
2016526838.tif 000014
2016526838.tif 000015
【請求項５】
請求項２に記載の符号化変調装置であって、
前記エンコーダ回路は、ＬＤＰＣ符号回路またはターボ符号エンコーダ回路であり、
前記エンコーダ回路は、前方誤り訂正を行う
符号化変調装置。
【請求項６】
入力データをセルワードに符号化し、
回路により、前記セルワードを不均一コンステレーションのコンステレーション値に変調する
符号化変調方法であって、
前記変調は、以下の表６又は表７に示す、コンステレーションの信号点の総数Ｍ＝１６および符号レート３／５である不均一コンステレーションを使用する
符号化変調方法。
【表６】
2016526838.tif 000016
【表７】
2016526838.tif 000017
【請求項７】
入力データをセルワードに符号化し、
回路により、前記セルワードを不均一コンステレーションのコンステレーション値に変調する
符号化変調方法であって、
前記変調は、以下の表８に示す、コンステレーションの信号点の総数Ｍ＝１６および符号レート２０／３０である不均一コンステレーションを使用し、
前記信号点は、コンステレーション位置ベクトルｗ０…Ｍ−１で定義される
符号化変調方法。
【表８】
2016526838.tif 000018
【請求項８】
入力データをセルワードに符号化し、
回路により、前記セルワードを不均一コンステレーションのコンステレーション値に変調する
符号化変調方法であって、
前記変調は、以下の表９に示す、コンステレーションの信号点の総数Ｍ＝２５６および符号レート２０／３０である不均一コンステレーションを使用し、
前記信号点は、コンステレーション位置ベクトルｗ０…Ｍ−１で定義される
符号化変調方法。
【表９】
2016526838.tif 000019
2016526838.tif 000020
2016526838.tif 000021
2016526838.tif 000022
2016526838.tif 000023
2016526838.tif 000024
【請求項９】
入力データをセルワードに符号化し、
回路により、前記セルワードを不均一コンステレーションのコンステレーション値に変調する
符号化変調方法であって、
前記変調は、以下の表１０に示す、コンステレーションの信号点の総数Ｍ＝２５６および符号レート２２／３０である不均一コンステレーションを使用し、
前記信号点は、コンステレーション位置ベクトルｗ０…Ｍ−１で定義される
符号化変調方法。
【表１０】
2016526838.tif 000025
2016526838.tif 000026
2016526838.tif 000027
2016526838.tif 000028
2016526838.tif 000029
2016526838.tif 000030
【請求項１０】
入力データをコンステレーション値に符号化及び変調する請求項２に記載の符号化変調装置と、
前記コンステレーション値を送信対象の１つまたは複数の送信ストリームに変換するコンバータと、
前記１つまたは複数の送信ストリームを送信する送信部と
を具備する送信装置。
【請求項１１】
入力データをコンステレーション値に符号化及び変調する請求項７に記載の符号化変調方法を含む送信方法であって、
前記コンステレーション値を送信対象の１つまたは複数の送信ストリームに変換し、
前記１つまたは複数の送信ストリームを送信する
送信方法。
【請求項１２】
請求項１に記載の符号化変調装置により使用された不均一コンステレーションのコンステレーション値を、セルワードに復調する復調部と、
前記セルワードを出力データに復号化するデコーダと
を具備する復調復号化装置。
【請求項１３】
請求項２に記載の符号化変調装置により使用された不均一コンステレーションのコンステレーション値を、セルワードに復調する復調部と、
前記セルワードを出力データに復号化するデコーダと
を具備する復調復号化装置。
【請求項１４】
請求項３に記載の符号化変調装置により使用された不均一コンステレーションのコンステレーション値を、セルワードに復調する復調部と、
前記セルワードを出力データに復号化するデコーダと
を具備する復調復号化装置。
【請求項１５】
請求項４に記載の符号化変調装置により使用された不均一コンステレーションのコンステレーション値を、セルワードに復調する復調部と、
前記セルワードを出力データに復号化するデコーダと
を具備する復調復号化装置。
【請求項１６】
請求項１３に記載の復調復号化装置であって、
前記復調部は、衛星通信システムにおいて使用される衛星送信受信部である
復調復号化装置。
【請求項１７】
請求項７に記載の符号化変調方法により使用された不均一コンステレーションのコンステレーション値を、セルワードに復調し、
前記セルワードを出力データに復号化する
復調復号化方法。
【請求項１８】
１つまたは複数の送信ストリームを受信する受信部と、
前記受信された１つまたは複数の送信ストリームを、コンステレーション値にデコンバートするデコンバータと、
前記コンステレーション値を出力データに復調及び復号化する、請求項１３に記載の復調復号化装置と
を具備する受信装置。
【請求項１９】
１つまたは複数の送信ストリームを受信し、
前記受信された１つまたは複数の送信ストリームを、コンステレーション値にデコンバートし、
請求項１７に記載の復調復号化方法により、前記コンステレーション値を出力データに復調及び復号化する
受信方法。
【請求項２０】
入力データをセルワードに符号化するように構成されるエンコーダ回路と、
前記セルワードを不均一コンステレーションのコンステレーション値に変調するように構成される変調部回路と
を具備する符号化変調装置であって、
前記変調部回路は、以下の表１１に示す、コンステレーションの信号点の総数Ｍ＝１６および符号レート６／１５であるクオーターの不均一コンステレーションを使用するように構成され、
前記信号点は、コンステレーション位置ベクトルｗ０…ｂ−１（ｂ＝Ｍ／４）で定義され、
他の３つのクオーターは、前記クオーターの不均一コンステレーションから対称的に抽出され、
前記不均一コンステレーションのビット位置は置換される
符号化変調装置。
【表１１】
2016526838.tif 000031
【請求項２１】
請求項２０に記載の符号化変調装置により使用された不均一コンステレーションのコンステレーション値を、セルワードに復調する復調部と、
前記セルワードを出力データに復号化するデコーダと
を具備する復調復号化装置。
【請求項２２】
１つまたは複数の送信ストリームを受信する受信部と、
前記受信された１つまたは複数の送信ストリームを、コンステレーション値にデコンバートするデコンバータと、
前記コンステレーション値を出力データに復調及び復号化する、請求項２１に記載の復調復号化装置と
を具備する受信装置。
【請求項２３】
入力データをセルワードに符号化し、
回路により、前記セルワードを不均一コンステレーションのコンステレーション値に変調する
符号化変調方法であって、
前記変調は、以下の表１２に示す、コンステレーションの信号点の総数Ｍ＝１６および符号レート６／１５であるクオーターの不均一コンステレーションを使用し、
前記信号点は、コンステレーション位置ベクトルｗ０…ｂ−１（ｂ＝Ｍ／４）で定義され、
他の３つのクオーターは、前記クオーターの不均一コンステレーションから対称的に抽出され、
前記不均一コンステレーションのビット位置は置換される
符号化変調方法。
【表１２】
2016526838.tif 000032
【請求項２４】
請求項２３に記載の符号化変調方法により使用された不均一コンステレーションのコンステレーション値を、セルワードに復調し、
前記セルワードを出力データに復号化する
復調復号化方法。
【請求項２５】
入力データをセルワードに符号化するように構成されるエンコーダ回路と、
前記セルワードを不均一コンステレーションのコンステレーション値に変調するように構成される変調部回路と
を具備する符号化変調装置であって、
前記変調部回路は、以下の表１３に示す、コンステレーションの信号点の総数Ｍ＝１６および符号レート１０／１５であるクオーターの不均一コンステレーションを使用するように構成され、
前記信号点は、コンステレーション位置ベクトルｗ０…ｂ−１（ｂ＝Ｍ／４）で定義され、
他の３つのクオーターは、前記クオーターの不均一コンステレーションから対称的に抽出され、
前記不均一コンステレーションのビット位置は置換される
符号化変調装置。
【表１３】
2016526838.tif 000033
【請求項２６】
請求項２５に記載の符号化変調装置により使用された不均一コンステレーションのコンステレーション値を、セルワードに復調する復調部と、
前記セルワードを出力データに復号化するデコーダと
を具備する復調復号化装置。
【請求項２７】
１つまたは複数の送信ストリームを受信する受信部と、
前記受信された１つまたは複数の送信ストリームを、コンステレーション値にデコンバートするデコンバータと、
前記コンステレーション値を出力データに復調及び復号化する、請求項２６に記載の復調復号化装置と
を具備する受信装置。
【請求項２８】
入力データをセルワードに符号化し、
回路により、前記セルワードを不均一コンステレーションのコンステレーション値に変調する
符号化変調方法であって、
前記変調は、以下の表１４に示す、コンステレーションの信号点の総数Ｍ＝１６および符号レート１０／１５であるクオーターの不均一コンステレーションを使用し、
前記信号点は、コンステレーション位置ベクトルｗ０…ｂ−１（ｂ＝Ｍ／４）で定義され、
他の３つのクオーターは、前記クオーターの不均一コンステレーションから対称的に抽出され、
前記不均一コンステレーションのビット位置は置換される
符号化変調方法。
【表１４】
2016526838.tif 000034
【請求項２９】
請求項２８に記載の符号化変調方法により使用された不均一コンステレーションのコンステレーション値を、セルワードに復調し、
前記セルワードを出力データに復号化する
復調復号化方法。
【請求項３０】
入力データをセルワードに符号化するように構成されるエンコーダ回路と、
前記セルワードを不均一コンステレーションのコンステレーション値に変調するように構成される変調部回路と
を具備する符号化変調装置であって、
前記変調部回路は、以下の表１５に示す、コンステレーションの信号点の総数Ｍ＝１６および符号レート１２／１５であるクオーターの不均一コンステレーションを使用するように構成され、
前記信号点は、コンステレーション位置ベクトルｗ０…ｂ−１（ｂ＝Ｍ／４）で定義され、
他の３つのクオーターは、前記クオーターの不均一コンステレーションから対称的に抽出され、
前記不均一コンステレーションのビット位置は置換され、
前記信号点は、虚軸において鏡映される
符号化変調装置。
【表１５】
2016526838.tif 000035
【請求項３１】
請求項３０に記載の符号化変調装置により使用された不均一コンステレーションのコンステレーション値を、セルワードに復調する復調部と、
前記セルワードを出力データに復号化するデコーダと
を具備する復調復号化装置。
【請求項３２】
１つまたは複数の送信ストリームを受信する受信部と、
前記受信された１つまたは複数の送信ストリームを、コンステレーション値にデコンバートするデコンバータと、
前記コンステレーション値を出力データに復調及び復号化する、請求項３１に記載の復調復号化装置と
を具備する受信装置。
【請求項３３】
入力データをセルワードに符号化し、
回路により、前記セルワードを不均一コンステレーションのコンステレーション値に変調する
符号化変調方法であって、
前記変調は、以下の表１６に示す、コンステレーションの信号点の総数Ｍ＝１６および符号レート１２／１５であるクオーターの不均一コンステレーションを使用し、
前記信号点は、コンステレーション位置ベクトルｗ０…ｂ−１（ｂ＝Ｍ／４）で定義され、
他の３つのクオーターは、前記クオーターの不均一コンステレーションから対称的に抽出され、
前記不均一コンステレーションのビット位置は置換され、
前記信号点は、虚軸において鏡映される
符号化変調方法。
【表１６】
2016526838.tif 000036
【請求項３４】
請求項３３に記載の符号化変調方法により使用された不均一コンステレーションのコンステレーション値を、セルワードに復調し、
前記セルワードを出力データに復号化する
復調復号化方法。
【請求項３５】
入力データをセルワードに符号化するように構成されるエンコーダ回路と、
前記セルワードを不均一コンステレーションのコンステレーション値に変調するように構成される変調部回路と
を具備する符号化変調装置であって、
前記変調部回路は、以下の表１７に示す、コンステレーションの信号点の総数Ｍ＝６４および符号レート６／１５であるクオーターの不均一コンステレーションを使用するように構成され、
前記信号点は、コンステレーション位置ベクトルｗ０…ｂ−１（ｂ＝Ｍ／４）で定義され、
他の３つのクオーターは、前記クオーターの不均一コンステレーションから対称的に抽出され、
前記不均一コンステレーションのビット位置は置換される
符号化変調装置。
【表１７】
2016526838.tif 000037
【請求項３６】
請求項３５に記載の符号化変調装置により使用された不均一コンステレーションのコンステレーション値を、セルワードに復調する復調部と、
前記セルワードを出力データに復号化するデコーダと
を具備する復調復号化装置。
【請求項３７】
１つまたは複数の送信ストリームを受信する受信部と、
前記受信された１つまたは複数の送信ストリームを、コンステレーション値にデコンバートするデコンバータと、
前記コンステレーション値を出力データに復調及び復号化する、請求項３６に記載の復調復号化装置と
を具備する受信装置。
【請求項３８】
入力データをセルワードに符号化し、
回路により、前記セルワードを不均一コンステレーションのコンステレーション値に変調する
符号化変調方法であって、
前記変調は、以下の表１８に示す、コンステレーションの信号点の総数Ｍ＝６４および符号レート６／１５であるクオーターの不均一コンステレーションを使用し、
前記信号点は、コンステレーション位置ベクトルｗ０…ｂ−１（ｂ＝Ｍ／４）で定義され、
他の３つのクオーターは、前記クオーターの不均一コンステレーションから対称的に抽出され、
前記不均一コンステレーションのビット位置は置換される
符号化変調方法。
【表１８】
2016526838.tif 000038
【請求項３９】
請求項３８に記載の符号化変調方法により使用された不均一コンステレーションのコンステレーション値を、セルワードに復調し、
前記セルワードを出力データに復号化する
復調復号化方法。
【請求項４０】
入力データをセルワードに符号化するように構成されるエンコーダ回路と、
前記セルワードを不均一コンステレーションのコンステレーション値に変調するように構成される変調部回路と
を具備する符号化変調装置であって、
前記変調部回路は、以下の表１９に示す、コンステレーションの信号点の総数Ｍ＝６４および符号レート８／１５であるクオーターの不均一コンステレーションを使用するように構成され、
前記信号点は、コンステレーション位置ベクトルｗ０…ｂ−１（ｂ＝Ｍ／４）で定義され、
他の３つのクオーターは、前記クオーターの不均一コンステレーションから対称的に抽出され、
前記不均一コンステレーションのビット位置は置換される
符号化変調装置。
【表１９】
2016526838.tif 000039
【請求項４１】
請求項４０に記載の符号化変調装置により使用された不均一コンステレーションのコンステレーション値を、セルワードに復調する復調部と、
前記セルワードを出力データに復号化するデコーダと
を具備する復調復号化装置。
【請求項４２】
１つまたは複数の送信ストリームを受信する受信部と、
前記受信された１つまたは複数の送信ストリームを、コンステレーション値にデコンバートするデコンバータと、
前記コンステレーション値を出力データに復調及び復号化する、請求項４１に記載の復調復号化装置と
を具備する受信装置。
【請求項４３】
入力データをセルワードに符号化し、
回路により、前記セルワードを不均一コンステレーションのコンステレーション値に変調する
符号化変調方法であって、
前記変調は、以下の表２０に示す、コンステレーションの信号点の総数Ｍ＝６４および符号レート８／１５であるクオーターの不均一コンステレーションを使用し、
前記信号点は、コンステレーション位置ベクトルｗ０…ｂ−１（ｂ＝Ｍ／４）で定義され、
他の３つのクオーターは、前記クオーターの不均一コンステレーションから対称的に抽出され、
前記不均一コンステレーションのビット位置は置換される
符号化変調方法。
【表２０】
2016526838.tif 000040
【請求項４４】
請求項４３に記載の符号化変調方法により使用された不均一コンステレーションのコンステレーション値を、セルワードに復調し、
前記セルワードを出力データに復号化する
復調復号化方法。
【請求項４５】
入力データをセルワードに符号化するように構成されるエンコーダ回路と、
前記セルワードを不均一コンステレーションのコンステレーション値に変調するように構成される変調部回路と
を具備する符号化変調装置であって、
前記変調部回路は、以下の表２１に示す、コンステレーションの信号点の総数Ｍ＝６４および符号レート１２／１５であるクオーターの不均一コンステレーションを使用するように構成され、
前記信号点は、コンステレーション位置ベクトルｗ０…ｂ−１（ｂ＝Ｍ／４）で定義され、
他の３つのクオーターは、前記クオーターの不均一コンステレーションから対称的に抽出され、
前記不均一コンステレーションのビット位置は置換され、
前記信号点は、実軸において鏡映される
符号化変調装置。
【表２１】
2016526838.tif 000041
【請求項４６】
請求項４５に記載の符号化変調装置により使用された不均一コンステレーションのコンステレーション値を、セルワードに復調する復調部と、
前記セルワードを出力データに復号化するデコーダと
を具備する復調復号化装置。
【請求項４７】
１つまたは複数の送信ストリームを受信する受信部と、
前記受信された１つまたは複数の送信ストリームを、コンステレーション値にデコンバートするデコンバータと、
前記コンステレーション値を出力データに復調及び復号化する、請求項４６に記載の復調復号化装置と
を具備する受信装置。
【請求項４８】
入力データをセルワードに符号化し、
回路により、前記セルワードを不均一コンステレーションのコンステレーション値に変調する
符号化変調方法であって、
前記変調は、以下の表２２に示す、コンステレーションの信号点の総数Ｍ＝６４および符号レート１２／１５であるクオーターの不均一コンステレーションを使用し、
前記信号点は、コンステレーション位置ベクトルｗ０…ｂ−１（ｂ＝Ｍ／４）で定義され、
他の３つのクオーターは、前記クオーターの不均一コンステレーションから対称的に抽出され、
前記不均一コンステレーションのビット位置は置換され、
前記信号点は、実軸において鏡映される
符号化変調方法。
【表２２】
2016526838.tif 000042
【請求項４９】
請求項４８に記載の符号化変調方法により使用された不均一コンステレーションのコンステレーション値を、セルワードに復調し、
前記セルワードを出力データに復号化する
復調復号化方法。
【請求項５０】
入力データをセルワードに符号化するように構成されるエンコーダ回路と、
前記セルワードを不均一コンステレーションのコンステレーション値に変調するように構成される変調部回路と
を具備する符号化変調装置であって、
前記変調部回路は、以下の表２３に示す、コンステレーションの信号点の総数Ｍ＝２５６および符号レート１２／１５であるクオーターの不均一コンステレーションを使用するように構成され、
前記信号点は、コンステレーション位置ベクトルｗ０…ｂ−１（ｂ＝Ｍ／４）で定義され、
他の３つのクオーターは、前記クオーターの不均一コンステレーションから対称的に抽出される
符号化変調装置。
【表２３】
2016526838.tif 000043
2016526838.tif 000044
【請求項５１】
請求項５０に記載の符号化変調装置により使用された不均一コンステレーションのコンステレーション値を、セルワードに復調する復調部と、
前記セルワードを出力データに復号化するデコーダと
を具備する復調復号化装置。
【請求項５２】
１つまたは複数の送信ストリームを受信する受信部と、
前記受信された１つまたは複数の送信ストリームを、コンステレーション値にデコンバートするデコンバータと、
前記コンステレーション値を出力データに復調及び復号化する、請求項５１に記載の復調復号化装置と
を具備する受信装置。
【請求項５３】
入力データをセルワードに符号化し、
回路により、前記セルワードを不均一コンステレーションのコンステレーション値に変調する
符号化変調方法であって、
前記変調は、以下の表２４に示す、コンステレーションの信号点の総数Ｍ＝２５６および符号レート１２／１５であるクオーターの不均一コンステレーションを使用し、
前記信号点は、コンステレーション位置ベクトルｗ０…ｂ−１（ｂ＝Ｍ／４）で定義され、
他の３つのクオーターは、前記クオーターの不均一コンステレーションから対称的に抽出される
符号化変調方法。
【表２４】
2016526838.tif 000045
2016526838.tif 000046
【請求項５４】
請求項５３に記載の符号化変調方法により使用された不均一コンステレーションのコンステレーション値を、セルワードに復調し、
前記セルワードを出力データに復号化する
復調復号化方法。
【請求項５５】
入力データをセルワードに符号化するように構成されるエンコーダ回路と、
前記セルワードを不均一コンステレーションのコンステレーション値に変調するように構成される変調部回路と
を具備する符号化変調装置であって、
前記変調部回路は、以下の表２５に示す、コンステレーションの信号点の総数Ｍ＝１０２４および符号レート６／１５である不均一コンステレーションを使用するように構成され、
前記信号点は、長さｖ＝ｓｑｒｔ（Ｍ）／２−１のコンステレーション位置ベクトルｕで定義され、
前記位置ベクトルの値は、単位平均電力に正規化される
符号化変調装置。
【表２５】
2016526838.tif 000047
【請求項５６】
請求項５５に記載の符号化変調装置であって、
値１が前記ベクトルの第１の要素として加えられる
符号化変調装置。
【請求項５７】
請求項５５に記載の符号化変調装置により使用された不均一コンステレーションのコンステレーション値を、セルワードに復調する復調部と、
前記セルワードを出力データに復号化するデコーダと
を具備する復調復号化装置。
【請求項５８】
１つまたは複数の送信ストリームを受信する受信部と、
前記受信された１つまたは複数の送信ストリームを、コンステレーション値にデコンバートするデコンバータと、
前記コンステレーション値を出力データに復調及び復号化する、請求項５７に記載の復調復号化装置と
を具備する受信装置。
【請求項５９】
入力データをセルワードに符号化し、
回路により、前記セルワードを不均一コンステレーションのコンステレーション値に変調する
符号化変調方法であって、
前記変調は、以下の表２６に示す、コンステレーションの信号点の総数Ｍ＝１０２４および符号レート６／１５である不均一コンステレーションを使用し、
前記信号点は、長さｖ＝ｓｑｒｔ（Ｍ）／２−１のコンステレーション位置ベクトルｕで定義され、
前記位置ベクトルの値は、単位平均電力に正規化される
符号化変調方法。
【表２６】
2016526838.tif 000048
【請求項６０】
請求項５９に記載の符号化変調方法により使用された不均一コンステレーションのコンステレーション値を、セルワードに復調し、
前記セルワードを出力データに復号化する
復調復号化方法。
【請求項６１】
入力データをセルワードに符号化するように構成されるエンコーダ回路と、
前記セルワードを不均一コンステレーションのコンステレーション値に変調するように構成される変調部回路と
を具備する符号化変調装置であって、
前記変調部回路は、以下の表２７に示す、コンステレーションの信号点の総数Ｍ＝１０２４および符号レート８／１５である不均一コンステレーションを使用するように構成され、
前記信号点は、長さｖ＝ｓｑｒｔ（Ｍ）／２−１のコンステレーション位置ベクトルｕで定義され、
前記位置ベクトルの値は、単位平均電力に正規化される
符号化変調装置。
【表２７】
2016526838.tif 000049
【請求項６２】
請求項６１に記載の符号化変調装置であって、
値１が前記ベクトルの第１の要素として加えられる
符号化変調装置。
【請求項６３】
請求項６１に記載の符号化変調装置により使用された不均一コンステレーションのコンステレーション値を、セルワードに復調する復調部と、
前記セルワードを出力データに復号化するデコーダと
を具備する復調復号化装置。
【請求項６４】
１つまたは複数の送信ストリームを受信する受信部と、
前記受信された１つまたは複数の送信ストリームを、コンステレーション値にデコンバートするデコンバータと、
前記コンステレーション値を出力データに復調及び復号化する、請求項６３に記載の復調復号化装置と
を具備する受信装置。
【請求項６５】
入力データをセルワードに符号化し、
回路により、前記セルワードを不均一コンステレーションのコンステレーション値に変調する
符号化変調方法であって、
前記変調は、以下の表２８に示す、コンステレーションの信号点の総数Ｍ＝１０２４および符号レート８／１５である不均一コンステレーションを使用し、
前記信号点は、長さｖ＝ｓｑｒｔ（Ｍ）／２−１のコンステレーション位置ベクトルｕで定義され、
前記位置ベクトルの値は、単位平均電力に正規化される
符号化変調方法。
【表２８】
2016526838.tif 000050
【請求項６６】
請求項６５に記載の符号化変調方法により使用された不均一コンステレーションのコンステレーション値を、セルワードに復調し、
前記セルワードを出力データに復号化する
復調復号化方法。
【請求項６７】
入力データをセルワードに符号化するように構成されるエンコーダ回路と、
前記セルワードを不均一コンステレーションのコンステレーション値に変調するように構成される変調部回路と
を具備する符号化変調装置であって、
前記変調部回路は、以下の表２９に示す、コンステレーションの信号点の総数Ｍ＝１０２４および符号レート１２／１５である不均一コンステレーションを使用するように構成され、
前記信号点は、長さｖ＝ｓｑｒｔ（Ｍ）／２−１のコンステレーション位置ベクトルｕで定義され、
前記位置ベクトルの値は、単位平均電力に正規化される
符号化変調装置。
【表２９】
2016526838.tif 000051
【請求項６８】
請求項６７に記載の符号化変調装置であって、
値１が前記ベクトルの第１の要素として加えられる
符号化変調装置。
【請求項６９】
請求項６７に記載の符号化変調装置により使用された不均一コンステレーションのコンステレーション値を、セルワードに復調する復調部と、
前記セルワードを出力データに復号化するデコーダと
を具備する復調復号化装置。
【請求項７０】
１つまたは複数の送信ストリームを受信する受信部と、
前記受信された１つまたは複数の送信ストリームを、コンステレーション値にデコンバートするデコンバータと、
前記コンステレーション値を出力データに復調及び復号化する、請求項６９に記載の復調復号化装置と
を具備する受信装置。
【請求項７１】
入力データをセルワードに符号化し、
回路により、前記セルワードを不均一コンステレーションのコンステレーション値に変調する
符号化変調方法であって、
前記変調は、以下の表３０に示す、コンステレーションの信号点の総数Ｍ＝１０２４および符号レート１２／１５である不均一コンステレーションを使用し、
前記信号点は、長さｖ＝ｓｑｒｔ（Ｍ）／２−１のコンステレーション位置ベクトルｕで定義され、
前記位置ベクトルの値は、単位平均電力に正規化される
符号化変調方法。
【表３０】
2016526838.tif 000052
【請求項７２】
請求項７１に記載の符号化変調方法により使用された不均一コンステレーションのコンステレーション値を、セルワードに復調し、
前記セルワードを出力データに復号化する
復調復号化方法。
【請求項７３】
請求項２０に記載の符号化変調装置であって、前記置換されたビット位置により、以下の表３１に示すコンステレーション位置ベクトルｗ０…ｂ−１となる
符号化変調装置。
【表３１】
2016526838.tif 000053
【請求項７４】
請求項７３に記載の符号化変調装置により使用された不均一コンステレーションのコンステレーション値を、セルワードに復調する復調部と、
前記セルワードを出力データに復号化するデコーダと
を具備する復調復号化装置。
【請求項７５】
１つまたは複数の送信ストリームを受信する受信部と、
前記受信された１つまたは複数の送信ストリームを、コンステレーション値にデコンバートするデコンバータと、
前記コンステレーション値を出力データに復調及び復号化する、請求項７４に記載の復調復号化装置と
を具備する受信装置。